(57)【特許請求の範囲】
【請求項１】
押圧部が押圧されることにより動作する押しボタンスイッチと、
前記押圧部の前面側に設けられた軸芯と、
前記押圧部の前面を覆うと共に、前記押圧部方向に前記軸芯が偏心して形成された上端部が前記軸芯を回転軸とする回動に基づき前記押圧部を押圧する押圧部材と、を備え、
前記押圧部材は、第一の所定角度回動することにより、前記上端部が前記押圧部を押圧して前記押しボタンスイッチを動作し、
該動作後、前記回動の回動方向が同一方向に回動する限り、前記動作を継続するように形
成されている、
ことを特徴とするエレベータ用操作盤の押しボタン装置。
【請求項２】
前記押圧部材の前記第一の所定角度より大きい第二の所定角度回動により、
前記押圧部を押圧することで発生する前記押圧部の反発力が前記押圧部材を押圧して前記
押圧部材を保持する、
ことを特徴とする請求項１に記載のエレベータ用操作盤の押しボタン装置。
【発明の詳細な説明】
【技術分野】
【０００１】
本発明は、エレベータ用操作盤の押しボタン装置に関する。
【背景技術】
【０００２】
エレベータのかご内に設けられた操作盤には、乗りかごの行先階登録を行うための階床ボタンと、エレベータのドアを開閉させるための開閉ボタンと、非常時に外部と連絡をとるための非常ボタンなどが配置されている。
【０００３】
非常ボタンは、通常運転時に不注意で操作されないようにその表面をカバーで覆っている。このカバーは、操作盤表面板に設けられた軸受台に回動自在に支持され、カバーを回動させて持ち上げてから非常ボタンの頭部を押圧して操作する(例えば特許文献１参照)。
【先行技術文献】
【特許文献】
【０００４】
【特許文献１】特開平７−２３２８６９号公報  (第１図)
【発明の概要】
【発明が解決しようとする課題】
【０００５】
しかしながら、非常ボタンを操作するためにはカバーを開き、非常ボタンの頭部を押圧するといった操作が必要であり、片方の手でカバーを開き、もう片方の手でボタンの頭部を押圧する必要があった。しかも、カバーを開いた状態でボタンの頭部を押圧し続けて操作しなければならず煩雑であった。
【０００６】
本発明は上記課題を解決するためになされたもので、片手でカバーを所定の角度回動させることで非常ボタンを動作させ、所定の角度以上回動する限り非常ボタンの動作を継続するエレベータ用操作盤の押しボタン装置を提供することを目的とする。
【課題を解決するための手段】
【０００７】
本発明は、押圧部が押圧されることにより動作する押しボタンスイッチと、前記押圧部の前面側に設けられた軸芯と、前記押圧部の前面を覆うと共に、該覆った状態から前記軸芯を回転軸として回動可能に設けられ、前記回動に基づき前記押圧部を押圧する押圧部材とを備え、前記押圧部材は、第一の所定角度回動することにより前記押圧部を押圧して前記押しボタンスイッチを動作し、該動作後、前記回動の回動方向が同一方向に回動する限り、前記動作を継続するように形成されている、ことを特徴とするエレベータ用操作盤の押しボタン装置にある。
【発明の効果】
【０００８】
本発明によれば、片手で押圧部材を第一の所定角度回動させることにより押しボタンスイッチが動作し、押しボタンスイッチの動作後、同一方向に回動させる限り押しボタンスイッチの動作が継続する。
【図面の簡単な説明】
【０００９】
【図１】本発明の一実施の形態を示すエレベータ用かご内操作盤の配置されたかごである。
【図２】図１の押しボタン装置の詳細図（ａ）、（ａ）を矢印ｂ方向から見た断面図（ｂ）、（ｂ）のＤ部の詳細図（ｃ）である。
【図３】図２の押しボタン装置の非動作時を示す図（ａ）、押しボタン装置の動作時を示す図（ｂ）、押しボタン装置の動作の継続を示す図（ｃ）である。
【発明を実施するための形態】
【００１０】
以下、本発明を実施するための形態について、添付の図面を参照して説明する。
【００１１】
実施の形態１
図１〜図３は、本発明の一実施の形態を説明する図である。
図１に示すように、かご室1は、床２から側面壁３が立設しており、かご室1の出入口４側に袖壁５が床２から立設して設けられ、側面壁３と袖壁５の上部には天井６が配置されている。出入口４には、開閉を行うドア７が配置されている。袖壁５には操作盤８が設置され、この操作盤８の表面板８ａ上には、かごの走行中の階などを表示する表示部９と、行先階登録を行うための階床釦１０と、ドア７を開閉する開閉信号を出力する開閉釦１１と、非常時に人が押圧することで動作する押しボタン装置としての非常ボタン装置１２が配置されている。
【００１２】
図２（ａ） ，（ｂ）に示すように、非常ボタン装置１２は、頭部にインターホンマークが記された押圧部２２ａが操作盤８の表面板８ａから突出して、表面板８ａに配置された押しボタンスイッチ２２と、押圧部２２ａの前面を覆う押圧部材２１と、押圧部材２１の両側に配置し、表面板８ａに固定された押圧部材ガード２３と、押圧部２２ａよりも突出して表面板８ａの下部に配置され、押圧部材２１の押圧部２２ａへの当接を防ぐストッパー２５とで構成されている。押圧部材２１は透明のアクリル樹脂を素材としており、上端部２１ｂの両側面には、軸芯としての軸体２１ａが突出して形成されている。押圧部材ガード２３の側面部には、軸体２１ａの径より少し大きい円柱穴２３ａが形成されており、軸体２１ａがこの円柱穴２３ａに遊嵌され、押圧部材２１が、軸体２１ａを回転軸として、押圧部材ガード２３に回動可能に支持されている。
【００１３】
押しボタンスイッチ２２の押圧部２２ａは、表面板８ａまで押圧が可能であり、これが動作範囲となっている。また、押しボタンスイッチ２２は、押圧部材２１を回動して上端部２１ｂが押圧部２２ａを押圧した時に、内部の弾性体により押圧部２２ａが元に戻ろうとする反発力（押圧部材２１を押圧する力）を有している。
【００１４】
図２（ｂ），（ｃ）に示すように、押圧部材２１の上方に滑らかな略半円形の上端部２１ｂを形成しており、この上端部２１ｂに押圧部材２１の回転軸の軸体２１ａがあり、その軸体２１ａは、上端部２１ｂの略半円形が始まる両端の点を結んだ線上にあると共に押しボタンスイッチ２２の押圧部２２ａ方向に偏心して形成されている。そして、軸体２１ａを押圧部２２ａ方向に偏心させることにより、押圧部材２１が時計回りに回動した時に、押圧部材２１の上端部２１ｂが押しボタンスイッチ２２の押圧部２２ａを押圧し、第一の所定角度回動した時、（上端部２１ｂが）押圧部２２ａを押圧して押しボタンスイッチ２２を動作し、押しボタンスイッチ２２を動作後、時計回りに回動を続けると、押しボタンスイッチ２２の動作を継続するように形成されている。
【００１５】
また、押圧部材２１は、時計回りに回動する時、第一の所定角度回動するまで、押圧部２２ａの反発力が軸体２１ａより上方（押圧部材２１に当接する点）に働き、これにより、回動中に手を離すと、押圧部材２１は反時計回りに回動するように形成されている。そして、押圧部材２１が第一の所定角度より大きい第二の所定角度まで回動すると、押圧部２２ａの反発力がほぼ軸体２１ａ上（押圧部材２１に当接する点）に働き押圧部材２１を押圧して保持するように形成されている。
【００１６】
次に、非常ボタン装置１２の動作について図３を用いて説明する。
＜非動作＞
図３（ａ）に示すように、押圧部材２１が押しボタンスイッチ２２の押圧部２２ａを覆っている時、押圧部材２１と押圧部２２ａとの間には隙間が存在しているので、押しボタンスイッチ２２は動作していない。
【００１７】
＜動作＞
次に、図３（ｂ）に示すように、押圧部材２１を矢印Ａの方向に手で回動すると、上記隙間は徐々に小さくなり、約８０度回動すると、二点鎖線で示すように、押圧部材２１の上端部２１ｂが押圧部２２ａに当接し、その後、約９０度（第一の所定角度）まで回動すると、上端部２１ｂが押圧部２２ａを押圧して、押しボタンスイッチ２２がＯＦＦからＯＮになり動作する。
【００１８】
＜約９０度回動以上の動作＞
さらに押圧部材２１を同一方向の矢印Ａ方向へ回動すると、押しボタンスイッチ２２の動作を継続させながら、押圧部２２ａを押圧する。そして、図３（ｃ）に示すように、押圧部材２１は、約１８０度（第二の所定角度）まで回動する。
【００１９】
ここで、押圧部材２１を約１８０度回動すると、押圧部２２ａが押圧部材２１の上端部２１ｂを押圧して押圧部材２１を保持するため、手を離しても押圧部材２１が回動することなく約１８０度の位置で留まる。
【００２０】
上記実施の形態によれば、押圧部２２ａが押圧されることにより動作する押しボタンスイッチ２２と、押圧部２２ａの前面側に設けられた軸体２１ａと、押圧部２２ａの前面を覆うと共に、前面を覆った状態から軸体２１ａを回転軸として回動可能に設けられ、回動に基づき押圧部２２ａを押圧する押圧部材２１とを備え、押圧部材２１は約９０度回動することにより押圧部２２ａを押圧して押しボタンスイッチ２２を動作し、押しボタンスイッチ２２の動作後、押圧部材２１の回動の回動方向が同一方向に回動する限り、押しボタンスイッチ２２の動作を継続するように形成されている。
【００２１】
さらに、押圧部材２１の約９０度より大きい約１８０度回動することにより、押圧部２２ａを押圧することによる押圧部２２ａの反発力が押圧部材２１を押圧して押圧部材２１を保持することが好ましいので、押圧部材２１が約１８０度回動した位置で押圧部材２１から手を離してエレベータ用操作盤８の非常ボタン装置１２を使用することができる。
【符号の説明】
【００２２】
８  操作盤、  ８ａ  表面板、  １２  非常ボタン装置、  ２１  押圧部材、  ２１ａ  軸体（軸芯）、  ２１ｂ  上端部、  ２２  押しボタンスイッチ、  ２２ａ  押圧部、  ２３  押圧部材ガード、  ２３ａ  円柱穴、  ２５  ストッパー。
【図１】
0005867139.tif 000002
【図２】
0005867139.tif 000003
【図３】
0005867139.tif 000004